【手続補正書】
【提出日】平成16年12月27日(2004.12.27)
【手続補正１】
【補正対象書類名】明細書
【補正対象項目名】特許請求の範囲
【補正方法】変更
【補正の内容】
【特許請求の範囲】
【請求項１】
枠体と、
シートに画像を形成する画像形成手段と、
前記画像形成手段によって画像が形成されたシートが搬送される第１の搬送路と、
前記枠体の外側に設けられ、前記第１の搬送路を搬送されたシートが排出され収容される排紙トレイと、
前記排紙トレイにシートを排出する方向およびその逆方向に回転可能な排紙ローラと、
前記排紙ローラを端部として前記枠体内の下方に延びた、断面が略S字形状に形成された第２の搬送路と、
前記第２の搬送路のもう一方の端部側に、前記排紙ローラが前記排紙トレイにシートを排出する方向と逆方向にシートを搬送する第２の排紙ローラと、を有し、
前記第２の搬送路は、前記第１の搬送路から前記排紙ローラにより前記排紙トレイに排出する方向に搬送され、排出途中で前記排紙ローラを逆転させて前記枠体内に引き込まれるシートを搬送し、前記第２の排紙ローラは、前記排紙ローラが前記排紙トレイにシートを排出する方向と逆方向にシートを搬送する搬送速度よりも高速でシートを搬送することを特徴とする画像形成装置。
【請求項２】
前記第２の排紙ローラから排出されるシートは、前記枠体の側面に設けられ、排出されるシートに所定の後処理を施す後処理装置に搬送されることを特徴とする請求項１記載の画像形成装置。
【請求項３】
前記第２の排紙ローラから排出されるシートは、前記枠体の側面に設けられ、前記シートの両面に画像を形成するため、前記第２の排紙ローラから排出されるシートを再度前記枠体内に搬送する両面ユニットに搬送されることを特徴とする請求項１記載の画像形成装置。
【請求項４】
前記第２の搬送路のもう一方の端部側から、前記第２の搬送路を搬送されたシートを前記枠体内に設けられた両面搬送路へ搬送することを特徴とする請求項１記載の画像形成装置。
【請求項５】
前記第２の排紙ローラは、前記両面搬送路に設けられたことを特徴とする請求項４記載の画像形成装置。
【請求項６】
シートに画像を形成する画像形成手段と、
前記画像形成手段によって画像が形成されたシートを機外に排出する、正逆転可能な排紙ローラと、
前記画像形成手段から前記排紙ローラまで形成された第１のシート搬送路と、を有し、
一旦、前記排紙ローラによって機外に排出され始めたシートを、前記排紙ローラを逆転させることで前記第1のシート搬送路とは異なる第２のシート搬送路に搬送する画像形成装置において、
前記第２のシート搬送路は、前記排紙ローラが逆転して前記第２のシート搬送路にシートを搬送する搬送速度よりも高速で搬送する搬送ローラを有し、前記排紙ローラと前記搬送ローラとの間でシートを略S字に曲げる形状であることを特徴とする画像形成装置。
【請求項７】
前記搬送ローラは、前記シートを装置機外に排出する第２の排紙ローラであることを特徴とする請求項６記載の画像形成装置。
【請求項８】
前記第２の排紙ローラは、前記画像形成装置の側部に配置され、シートに対して所定の後処理を行なう後処理装置にシートを搬送することを特徴とする請求項７記載の画像形成装置。
【請求項９】
前記搬送ローラは、前記シートを再度前記画像形成手段に搬送し、シートの両面に画像を形成する両面搬送路にシートを搬送する両面搬送ローラであることを特徴とする請求項６記載の画像形成装置。
【請求項１０】
画像形成手段によって画像が形成されたシートを機外に排出する排紙ローラを有する画像形成装置において、前記排紙ローラがシートを機外に排出している途中で前記排紙ローラを逆転させる逆搬送手段と、
前記逆搬送手段によって前記排紙ローラを逆転させてシートを搬送するシート搬送路と、を有し、
前記シート搬送路は、前記排紙ローラが逆転してシートを搬送する搬送速度よりも高速で搬送する搬送ローラを有し、前記排紙ローラからシートを下方に曲げる第１のカーブと、第１のカーブの後、前記第１のカーブとは反対方向にシートを曲げる第２のカーブとを有することを特徴とする画像形成装置。
【請求項１１】
前記第２のカーブを通過したシートは、シートに所定の後処理を施す後処理装置に搬送されることを特徴とする請求項１０記載の画像形成装置。
【請求項１２】
前記第２のカーブを通過したシートは、画像形成手段によってシートの両面に画像を形成するための両面搬送路に搬送されることを特徴とする請求項１０記載の画像形成装置。
【手続補正２】
【補正対象書類名】明細書
【補正対象項目名】００１３
【補正方法】変更
【補正の内容】
【００１３】
【課題を解決するための手段】  本発明は、枠体と、シートに画像を形成する画像形成手段と、前記画像形成手段によって画像が形成されたシートが搬送される第１の搬送路と、
前記枠体の外側に設けられ、前記第１の搬送路を搬送されたシートが排出され収容される排紙トレイと、前記排紙トレイにシートを排出する方向およびその逆方向に回転可能な排紙ローラと、前記排紙ローラを端部として前記枠体内の下方に延びた、断面が略S字形状に形成された第２の搬送路と、前記第２の搬送路のもう一方の端部側に、前記排紙ローラが前記排紙トレイにシートを排出する方向と逆方向にシートを搬送する第２の排紙ローラと、を有し、前記第２の搬送路は、前記第１の搬送路から前記排紙ローラにより前記排紙トレイに排出する方向に搬送され、排出途中で前記排紙ローラを逆転させて前記枠体内に引き込まれるシートを搬送し、前記第２の排紙ローラは、前記排紙ローラが前記排紙トレイにシートを排出する方向と逆方向にシートを搬送する搬送速度よりも高速でシートを搬送することを特徴とする。
【手続補正３】
【補正対象書類名】明細書
【補正対象項目名】００３３
【補正方法】変更
【補正の内容】
【００３３】
次に上記作用効果が得られる原理を、図を用いて詳細に説明する。図２は図１０で示した従来の画像形成装置における排紙ローラ対１０４、１０５から排出されたシートPの状態を示したものであり、Ｐはシート、SはシートPを支持する支点であり、ここでは排出ローラ対を意味する。
【手続補正４】
【補正対象書類名】明細書
【補正対象項目名】００４３
【補正方法】変更
【補正の内容】
【００４３】
つまり、後処理排出ローラ対２５を排出ローラ対２３よりも低い位置とし、さらに後処理排出ローラ対２５から後処理装置内に搬送されるシートの搬送方向を略水平方向とすることで、シートをS字に撓ませて搬送することができ、その結果、一時的に排紙トレイ３７に排出されているシート端部Pfを排紙トレイ３７から離間する方向（矢印U方向）に持ち上げることで既に排紙トレイ３７上に排出されているシートとの摩擦を減らして積載性の低下を防止することができる。
【手続補正５】
【補正対象書類名】図面
【補正対象項目名】図２
【補正方法】変更
【補正の内容】
【図２】
2001192161.tif 000001
【手続補正６】
【補正対象書類名】図面
【補正対象項目名】図４
【補正方法】変更
【補正の内容】
【図４】
2001192161.tif 000002
【手続補正７】
【補正対象書類名】図面
【補正対象項目名】図５
【補正方法】変更
【補正の内容】
【図５】
2001192161.tif 000003
【手続補正８】
【補正対象書類名】図面
【補正対象項目名】図６
【補正方法】変更
【補正の内容】
【図６】
2001192161.tif 000004